(57)【要約】      （修正有）【課題】狭い場所での作業でもねじをドライバーから落下させることを防止でき、ねじごとに専用工具を切り替えるなどの効率低下を防止できる、ねじ落下防止機能を有するドライバーを提供する。【解決手段】ねじ落下防止機能を有するドライバー１は、本体部２と、本体部２を含めた全体を回転させる際に把持される把持部３と、本体部１の先端部４とを備え、先端部４は、ねじの溝に嵌まる凸部４１と凹部４２とを有し、凹部４２は、吸着性のある柔軟部材５を装着する。【選択図】図１
2020062713.tif 000002
【特許請求の範囲】
【請求項１】
本体部と、
前記本体部を含めた全体を回転させる際に把持される把持部と、
前記本体部の先端部と、を備え、
前記先端部は、ねじの溝に嵌まる凸部と凹部とを有し、
前記凹部は、吸着性のある柔軟部材を装着する、ねじ落下防止機能を有するドライバー。
【請求項２】
前記凸部とねじの溝とが嵌まる場合に、前記柔軟部材は、前記ねじの頭頂部の溝以外の部分を吸着する、請求項１記載のねじ落下防止機能を有するドライバー。
【請求項３】
前記柔軟部材は、前記ねじの頭頂部の溝以外の部分と接触および変形することで、吸着する、請求項２記載のねじ落下防止機能を有するドライバー。
【請求項４】
前記柔軟部材は、前記凹部において交換可能である、請求項１から３のいずれか記載のねじ落下防止機能を有するドライバー。
【請求項５】
前記柔軟部材は、接着性もしくは吸着性を有する、樹脂、シリコン樹脂、ゴムおよび化学部材の少なくとも一つの素材を含む、請求項１から４のいずれか記載のねじ落下防止機能を有するドライバー。
【請求項６】
前記本体部は、前記凹部表面に連通する内部管路を有し、
前記内部管路は、前記柔軟部材を、前記凹部に供出する、請求項１から５のいずれか記載のねじ落下防止機能を有するドライバー。
【請求項７】
前記内部管路には、前記柔軟部材が充填されており、前記柔軟部材を随時供給可能である、請求項６記載のねじ落下防止機能を有するドライバー。
【請求項８】
前記把持部は、前記内部管路に充填されている前記柔軟部材を供給する供給スイッチを備える、請求項７記載のねじ落下防止機能を有するドライバー。
【発明の詳細な説明】
【技術分野】
【０００１】
本発明は、作業中に先端からねじが落下するのを防止できる、ねじ落下防止機能を有するドライバーに関する。
【背景技術】
【０００２】
様々な場面でねじを取り付けるあるいはねじを外す作業が行われる。工場などでの物品や装置の製造工程で、ねじの取り付けや取り外しの作業が行われることがある。あるいは、機器や設備の設置のために、ねじの取り付け作業が行われる。あるいは、機器や設備の交換や修理のために、ねじの取り外し作業が行われる。これらの作業においては、通常はドライバーが工具として使用される。
【０００３】
ドライバーを用いたねじの取り付けや取り外しにおいては、ドライバーの先端にねじをセットして作業が行われる。これは、手動で作業するドライバーであっても、電動で回転する電動ドライバーであっても同様である。
【０００４】
ねじはドライバーによって回転可能な溝を、頭部に備えている。この溝にドライバーの先端があてがわれて、ねじの取付けあるいは取り外しの作業が行われる。このとき、ドライバーの先端とねじの溝とは、あてがわれているだけであるので、相互にきちんと繋がっているわけではない。作業者が、ねじとドライバーのそれぞれを手で把持して支えることで、ドライバーの先端とねじの溝との接触を維持させる。このため、把持が難しかったり把持力が足りなかったりすると、ねじがドライバーの先端から落下してしまうことがある。
【０００５】
これを防止するために、ドライバーの先端が磁力を有する金属で形成されて、ねじとの接触を、磁力で維持するドライバーが使用されることがある。
【０００６】
しかしながら、ねじの種類によっては磁力による接触の維持ができないこともある。あるいは、作業対象の機器や設備によっては、磁力を用いることが好ましくなく、磁力を有するドライバーを使用することができないこともある。
【０００７】
このような場合に、ドライバーでの作業中にねじの落下を防止する技術が提案されている（例えば、特許文献１、２参照）。
【先行技術文献】
【特許文献】
【０００８】
【特許文献１】特開２０００−７４０３２号公報
【特許文献２】特開２０１７−１１０７４８号公報
【特許文献３】特開２０１７−１９３００８号公報
【発明の概要】
【発明が解決しようとする課題】
【０００９】
特許文献１は、ネジを回転させるための工具が挿入できるねじ挿入用の穴を有するカバー部品によってネジを囲む。ねじ挿入用の穴の穴径は、ネジに組み込まれた座金の径より小さく形成される。従って、ネジを緩めた際にも、被締結部品からネジが落下等しない構造である。ネジの締結は、カバー部品を被締結部品に固定した状態で行われる技術を開示する。
【００１０】
特許文献１に開示される技術は、ねじの頭を固定してドライバーでの取付け等の作業を行う際に、ねじの落下を防止することを目的としている。
【００１１】
しかしながら、特許文献１の技術では、ねじのそれぞれに固定を行うカバー部品を必要とすることで、部材点数や工具点数が増加してしまう問題がある。また、ねじの種類に合わせてカバー部品が必要となり、準備や作業の効率が下がる問題がある。
【００１２】
加えて、カバー部品などでねじの頭を覆う構成となるので、狭い場所での作業が困難である問題がある。特に、ねじとドライバーを接触させながら手で把持する作業は、狭い場所ほど困難となる。このような狭い場所での把持が難しいことで、ねじの落下が生じてしまう。落下したねじが、機器や設備内部に入り込んでしまうと、これらの機器や設備の運転規定において問題が生じることも多い。
【００１３】
このような狭い場所での作業においてねじの落下を防止することが求められるが、特許文献１の技術では、このような狭い場所での作業を行うことが難しいので、ねじの落下防止の目的を達成することが困難である。
【００１４】
特許文献２は、プリンター１のねじ取付機構３０は、ねじ穴３３が螺設された被取付部材のプリンター本体２と、ねじ穴３３に螺合するねじ３１と、ねじ穴３３に向けて凹設された締結部３４を有する取付部材の後カバー５と、締結部３４に嵌合可能なねじ落下防止部材３２とを備える。締結部３４は、ねじ穴３３に対向した位置でねじ３１の胴部３１ｂを挿通可能な挿通穴３５を有する。後カバー５は、ねじ３１が挿通穴３５を介してねじ穴３３に締結されてプリンター本体２に取り付けられる。ねじ落下防止部材３２は、挿通穴３５に対向する第１開口部３７と、第１開口部３７に連通してねじ３１を挿入可能な内部空間Ｓとを、ねじ３１の頭部３１ａの外径よりも大きな内径で有し、ねじ３１を内部空間Ｓに挿入した状態で締結部３４に嵌合されるねじ取付け機構の技術を開示する。
【００１５】
特許文献２も、特許文献１と同様に、ねじの外部に固定部材を設ける構成である。このため、ねじやねじによる固定での部材の増加や作業の増加といった問題を有している。また、狭い場所でのねじの取り付けや取り外しの作業（このような狭い場所ほど、ねじの落下問題が大きい）が難しくなるとの問題を有している。
【００１６】
特許文献３は、弾性材料で形成され略円筒形状を持つねじ保持部１２Ａを、特殊ねじ着脱工具１を把持および操作するための棒形状の把持部１１に装着して、特殊ねじ５Ａａの側周径より小さい内径を持つねじ保持部１２Ａの固定部１４Ａの内面を特殊ねじ５Ａａの側周面に部分的に圧着させて特殊ねじ５Ａａを保持しつつ、上面または側周面に締め付け工具の尖端部と嵌合する１以上の凹部を持つ特殊ねじ５Ａａを着脱するねじ着脱工具を開示する。
【００１７】
しかしながら、特許文献３は、特殊工具を必要とする問題がある。特に、この特殊工具は、ねじの種類ごとに用意される必要があり、準備や作業効率を悪くする問題がある。当然に、狭い場所では作業が難しい問題がある。ねじごとに専用工具を切り替える必要があり、作業効率や作業コストが低下する問題がある。
【００１８】
従来技術では、以上のように、狭い場所での作業が困難であったり、作業効率などを低下させたりするなどの問題があった。
【００１９】
本発明は、狭い場所での作業でもねじをドライバーから落下させることを防止でき、ねじごとに専用工具を切り替えるなどの効率低下を防止できる、ねじ落下防止機能を有するドライバーを提供することを目的とする。
【課題を解決するための手段】
【００２０】
上記課題に鑑み、本発明のねじ落下防止機能を有するドライバーは、
本体部と、
本体部を含めた全体を回転させる際に把持される把持部と、
本体部の先端部と、を備え、
先端部は、ねじの溝に嵌まる凸部と凹部とを有し、
凹部は、吸着性のある柔軟部材を装着する。
【発明の効果】
【００２１】
本発明のねじ落下防止機能を有するドライバーは、ねじの頭部の溝以外の部分とドライバーの先端の凹部との合わせ目とが粘着性で吸着することで、ドライバーの先端からねじが落下するのを防止できる。
【００２２】
特に、狭い空間において作業をしなければならない場合に、ねじやドライバーの先端に手を添えるのが難しい場合でも、ねじの落下を防止できる。例えば、機器や設備のねじの取り付けや交換などを行う際に、ねじの落下が防止出来れば、機器や設備の中へのねじの混入を防止できる。混入が防止出来れば、混入による機器や設備の解体確認などの手間を防止できる。
【００２３】
また、本発明のねじ落下防止機能を有するドライバーであれば、磁力によって吸着する素材以外のねじであっても、落下を防止できる。このため、ねじの種類を選ばないとのメリットもある。
【図面の簡単な説明】
【００２４】
【図１】本発明の実施の形態１におけるねじ落下防止機能を有するドライバーの正面図である。
【図２】本発明の実施の形態１におけるねじを取り付けた状態のドライバーの正面図である。
【図３】本発明の実施の形態２における落下防止機能を有するドライバーの正面図である。
【図４】本発明の実施の形態２におけるドライバーの先端側の拡大図である。
【図５】本発明の実施の形態２におけるねじを取り付けたドライバーの正面図である。
【発明を実施するための形態】
【００２５】
本発明の第１の発明に係るねじ落下防止機能を有するドライバーは、
本体部と、
本体部を含めた全体を回転させる際に把持される把持部と、
本体部の先端部と、を備え、
先端部は、ねじの溝に嵌まる凸部と凹部とを有し、
凹部は、吸着性のある柔軟部材を装着する。
【００２６】
この構成により、柔軟部材が、ねじの頭頂部表面を吸着して、ねじの先端部からの落下を防止できる。
【００２７】
本発明の第２の発明に係るねじ落下防止機能を有するドライバーでは、第１の発明に加えて、凸部とねじの溝とが嵌まる場合に、柔軟部材は、ねじの頭頂部の溝以外の部分を吸着する。
【００２８】
この構成により、ねじの溝に柔軟部材が入り込まず、ドライバーによってねじを回転させることを阻害しない。
【００２９】
本発明の第３の発明に係るねじ落下防止機能を有するドライバーでは、第２の発明に加えて、柔軟部材は、ねじの頭頂部の溝以外の部分と接触および変形することで、吸着する。
【００３０】
この構成により、柔軟部材の押し付けによって、ねじの頭頂部表面が吸着される。この吸着により、ねじが先端部から落下することが防止できる。
【００３１】
本発明の第４の発明に係るねじ落下防止機能を有するドライバーでは、第１から第３のいずれかの発明に加えて、柔軟部材は、凹部において交換可能である。
【００３２】
この構成により、柔軟部材の劣化に合わせて、新しい柔軟部材への交換が可能となる。結果として、柔軟部材による吸着性能の維持が可能となる。
【００３３】
本発明の第５の発明に係るねじ落下防止機能を有するドライバーでは、第１から第４のいずれかの発明に加えて、柔軟部材は、接着性もしくは吸着性を有する、樹脂、シリコン樹脂、ゴムおよび化学部材の少なくとも一つの素材を含む。
【００３４】
この構成により、柔軟素材は、変形および吸着性能を発揮することができる。これらの性能によって、ねじの表面を吸着して落下を防止できる。
【００３５】
本発明の第６の発明に係るねじ落下防止機能を有するドライバーでは、第１から第５のいずれかの発明に加えて、本体部は、凹部表面に連通する内部管路を有し、
内部管路は、柔軟部材を、凹部に供出する。
【００３６】
この構成により、柔軟部材を次々と供給して更新することができる。
【００３７】
本発明の第７の発明に係るねじ落下防止機能を有するドライバーでは、第６の発明に加えて、内部管路には、柔軟部材が充填されており、柔軟部材を随時供給可能である。
【００３８】
この構成により、常に新しい柔軟部材の装着が可能となる。
【００３９】
本発明の第８の発明に係るねじ落下防止機能を有するドライバーでは、第７の発明に加えて、把持部は、内部管路に充填されている柔軟部材を供給する供給スイッチを備える。
【００４０】
この構成により、柔軟部材を作業者が吐出させることができる。
【００４１】
以下、図面を参照しながら、本発明の実施の形態を説明する。
【００４２】
（発明者の解析）
発明者は、現状で普及しているドライバーでの問題を次のように解析した。
（１）磁力でねじなどの落下を防止するドライバーでは、ねじの素材や種類によって使用ができない場合がある。
（２）非常に狭い作業空間でねじの取り付けや取り外しをする場合には、ドライバーを把持していない手でねじを把持したり支えたりすることが困難である。
【００４３】
このような（１）、（２）のような状況によってねじの取り付けや取り外しを行うと、ドライバーの先端からねじが落下してしまう問題がある。このとき、狭小空間においては、設備や機器が備わっていることが多い。このような設備や機器は、その機能あるいは規制などの面で、異物が侵入することが禁止されていることがある。このような状況で、落下したねじが設備や機器内部に進入してしまうことは、極めて好ましくない。
【００４４】
ねじが侵入した場合には、設備や機器を分解して、侵入したねじを捜索する必要もある。このような作業が生じると、設備や機器の運転期間が短くなってしまう問題がある。
【００４５】
このように、発明者は、狭小空間でねじを把持できないような環境で、ねじの落下を防止してねじの取り付けや取り外しを行うドライバーが必要であるとの解析に至った。
【００４６】
（全体概要）
図１は、本発明の実施の形態１におけるねじ落下防止機能を有するドライバー（以下、必要に応じて「ドライバー」と略す）の正面図である。図１は、ドライバー１の特徴部分をより分かりやすい状態にして示している。
【００４７】
ドライバー１は、本体部２、把持部３、先端部４を備える。本体部２は、ドライバー１の骨格を構成する部分であり、金属や合金で形成される。本体部２が、ねじの取り付けや取り外しなどの際の骨格となる。
【００４８】
把持部３は、ドライバー１を回転させる際に作業者によって把持される。作業者は、把持部３を把持して、ドライバー１を固定させたり回転させたりする（すなわち、本体部２を含めた全体を回転させる）。把持部３は、作業者がドライバー１を把持して本体部２、先端部４を回転させて、ねじを回転させる。
【００４９】
先端部４は、本体部２の先端であり、実際にねじを嵌めて取り付けや取り外しを行う部位である。先端部４は、ねじの頭頂部の溝に嵌合するように、凸部４１と凹部４２とを備える。凹部４２は、吸着性のある柔軟部材５を装着する。図１に示されるように、柔軟部材５が、凹部４２に装着されてねじを吸着する。このねじの吸着によって、先端部４に取り付けられたねじの落下を防止できる。
【００５０】
図２は、本発明の実施の形態１におけるねじを取り付けた状態のドライバーの正面図である。
【００５１】
ドライバー１の先端部４は、凸部４１と凹部４２を備える。この凸部４１と凹部４２とが、ねじ１０の頭頂部１１の溝１２に嵌合する。ねじ１０に嵌合することで、ドライバー１は、ねじ１０を回転させることができ、ねじの取り付けや取り外しを行うことができる。
【００５２】
このとき、先端部４の凹部４２は吸着性のある柔軟部材５を装着している。先端部４の凸部４１は、ねじ１０の頭頂部１１の溝１２にはまり込む。一方で、先端部４の凹部４２はねじ１０の頭頂部１１の表面に接触する。このとき、凹部４２は、柔軟部材５を装着している。このため、この柔軟部材５が、ねじ１０の頭頂部１１の表面と接触する。
【００５３】
柔軟部材５は、圧力によって変形可能な柔軟性を有する。このため、先端部４がねじ１０の溝１２に嵌合されると、柔軟部材５は、頭頂部１１の表面に押し付けられる。押し付けられることにより、図２のように変形することもある。
【００５４】
このような変形や押し付けによって、柔軟部材５は、頭頂部１１の表面にしっかりと接触して頭頂部１１の表面を吸着する。この吸着状態が、先端部４がねじ１０に取り付けられている間において維持される。
【００５５】
このような吸着状態が維持されて、ドライバー１でねじ１０を取り付けたり取り外したりする際に、作業者が手でねじを支えなくても、ねじ１０が先端部４から落下することが防止される。
【００５６】
これは、ドライバー１でねじを取り付ける場合でも取り外す場合でも同様である。
【００５７】
ねじを取り付ける場合には、ドライバー１の先端部４にねじ１０を装着する。このとき、ねじ１０の溝１２に凸部４１を嵌合させると、吸着部材５がねじ１０の頭頂部１１の表面に吸着する。この吸着した状態で、作業者はねじ１０をねじ穴に挿入してドライバー１を回転させれば、ねじを取り付けることができる。ドライバー１を回転させている間には、柔軟部材５がねじ１０を吸着したままである。この結果、取付けの作業中に、ねじ１０が落下することが無い。
【００５８】
ねじ１０を取り外す場合には、取り付けられているねじ１０の溝１２に、ドライバー１の凸部４１が挿し込まれる。凸部４１が溝１２に挿し込まれると、凹部４２はねじ１０の頭頂部１１の表面に合わさる。このとき、柔軟部材５が頭頂部１１の表面に接触して、ねじ１０を吸着する。
【００５９】
作業者は、ドライバー１を回転させてねじ１０を取り外していく。このとき、柔軟部材５がねじ１０を吸着しているので、ねじはドライバー１の先端部４から離れることなく回転する。この状態を維持して、ねじ１０が取り外されると、ねじ穴から取り出された後でも、ねじ１０は柔軟部材５によって先端部４に吸着されたままである。このため、作業者がドライバー１を引き抜くと、そのまま先端部４においてねじ１０が付いてくるので、取り外した後でねじ１０が落下するのを防止できる。
【００６０】
以上のように、ドライバー１は、ねじ１０の取付けおよび取り外しの作業において、ねじ１０を落下させることを防止できる。ねじ１０の落下が防止出来れば、設備や機器における設置やメンテナンスの作業における、不測の事態を防止できる。
【００６１】
（柔軟部材）
柔軟部材５は、柔軟性を有する素材で形成されればよい。このときの柔軟性は、吸着性も必要であり、繰り返しの使用に耐えられることも望ましい。このため、柔軟部材５は、ねじ１０の頭頂部１１の表面との接触で変形すると共に、接触が無くなれば形状を復帰させやすい素材であることが好ましい。
【００６２】
すなわち、ねじ１０の頭頂部１１の表面との接触によって縮むように変形し、接触が開放されると元の大きさに戻るように変形することが好ましい。このような柔軟性によって、ねじ１０を吸着できるとともに、繰り返し使用ができる。
【００６３】
柔軟部材５は、例えば樹脂やシリコン樹脂などの素材で形成されればよい。あるいはゴム、合成ゴム、化学部材などの素材で形成されればよい。もちろん、これらの素材は例であってこれら以外の素材が用いられてもよい。
【００６４】
更に、柔軟部材５は、表面の張力によってねじ１０の頭頂部１１の表面を吸着しやすいことも好適である。
【００６５】
柔軟部材５は、先端部４の凹部４２に装着される。図１のようにいわゆるプラス形態のドライバーであれば、プラス形態のねじ溝に合わせた凸部４１と凸部４１以外である凹部４２に柔軟部材５が装着される。柔軟部材５が接着剤で凹部４２に装着されてもよいし、凹部４２に窪みを設けて、その中に装着してもよい。
【００６６】
柔軟部材５は、ドライバー１の先端部４の凹部４２に装着される。このため、柔軟部材５は、ねじ１０の溝１２には入り込まない。溝１２以外である頭頂部１１の表面にのみ接触する。すなわち、ねじ１０を取り付けたり取り外したりする際に、ねじ１０の溝１２に柔軟部材５が入り込むことでの作業阻害は生じない。
【００６７】
このように、ねじ１０の頭頂部１１の溝１２以外の部分を、柔軟部材５は吸着する。また、柔軟部材５は、ねじ１０の頭頂部１１の表面（溝１２以外の部分）と接触および変形することで、ねじ１０を吸着する。この吸着によって、ねじ１０がドライバー１の先端部４から落下することを防止できる。
【００６８】
柔軟部材５は、凹部４２に装着されるが、交換可能であることも好適である。交換可能であることで、柔軟部材５の時間経過による劣化が生じる場合でも、新たな柔軟部材５を装着できるからである。例えば、柔軟部材５の柔軟性や吸着性が低下する場合には、交換によってこれを解消することができる。
【００６９】
また、交換可能であることで、一般に市販されている普通のドライバーに、柔軟部材５を装着して実施の形態１における落下防止機能を有するドライバー１を実現することができる。
【００７０】
また、ねじ１０の種類や形状が変化する場合には、この変化に対応する柔軟部材５に交換することも可能である。例えば、ねじ１０の頭頂部１１の表面が広いねじ１０であれば、柔軟部材５の大きさを大きくするなどすればよい。
【００７１】
ドライバー１は、凹部４２に装着する柔軟部材５を、状況に応じた適切なものとできる。このようにして、ねじの種類などに応じた最適な落下防止機能を実現できる。
【００７２】
実施の形態１における落下防止機能を有するドライバー１は、先端部４での柔軟部材５によるねじ１０の吸着により、ねじ１０の取付けあるいは取り外しの際に、ねじ１０の落下を防止することができる。ねじ１０の落下が防止できることで、作業者の作業の手間を削減しつつ精度を上げ、落下に伴う諸問題の発生を抑えることもできる。
【００７３】
（実施の形態２）
【００７４】
次に、実施の形態２について説明する。実施の形態２の落下防止機能を有するドライバー１は、別バージョンのものである。図３は、本発明の実施の形態２における落下防止機能を有するドライバーの正面図である。図３では、構造を把握しやすくするために、本体部２内部を透視状態としているのに加えて、柔軟部材５を省略して示している。
【００７５】
ドライバー１は、実施の形態１のドライバーと同じく、本体部２、把持部３、先端部４を備える。先端部４は、ねじ１０の溝１２の形状に合わせて、凸部４１と凹部４２を備える。
【００７６】
ここで、本体部２は、凹部４２表面に連通する内部管路７を有する。また、把持部３は、内部管路７に柔軟部材を供給する供給部６１と供給スイッチ６２を備える。供給部６１には、柔軟部材が貯められている。供給部６１から内部管路７に柔軟部材が供給される。内部管路７は、図３に示されるように、先端部４まで通じており、その出口が凹部４２の表面に連通している。
【００７７】
すなわち、供給部６１から凹部４２の表面まで、内部管路７が繋がった状態となっている。
【００７８】
実施の形態１で説明したように、柔軟部材は、接着性もしくは吸着性を有する樹脂、シリコン樹脂、ゴムおよび化学素材の少なくとも一つの素材で形成される。このような柔軟部材は、内部管路７を通じて、凹部４１に供給される。この供給によって、凹部４２の表面に柔軟部材５が装着される状態となる（凹部４２の表面に装着された状態の柔軟部材を、供給前の柔軟部材と区別するために、柔軟部材５として表記する。素材や物質として異なるものではなく、凹部４２の表面に装着状態となって、ねじを吸着する状態において「柔軟部材５」としての表記を行う）。
【００７９】
このように、供給部６１から内部管路７を通じて柔軟部材５が凹部４２の表面に装着される状態となる。内部管路７を通じて押し出された柔軟部材は、凹部４２の表面に吐出される。吐出された柔軟部材は、凹部４２表面に取り付けられたような状態となる。こうして、凹部４２の表面に柔軟部材５が装着された状態となる。
【００８０】
柔軟部材５は、ねじ１０の取付けあるいは取り外しの際に、ねじ１０の頭頂部１１の表面に吸着して、ねじ１０の落下を防止できる。
【００８１】
実施の形態２のドライバー１は、供給部６１に収容されている柔軟部材が、次々に凹部４２の表面に供給可能である。このため、凹部４２の表面で使用されている柔軟部材５が使用と共に劣化する場合でも、これを取り除いて新しい柔軟部材を、凹部４２表面に供給することができる。新たに供給されることで、凹部４２には、新しい柔軟部材５が装着された状態となる。
【００８２】
新しい柔軟部材５が装着状態となることで、十分な吸着能力を新たに利用することができるようになる。供給部６１に柔軟部材が収容されている状態であれば、このような新しい柔軟部材５の装着を繰り返すことができる。
【００８３】
作業者は、ねじ１０の取り付けや取り外しの作業を繰り返し行う場合に、新しい柔軟部材５によりねじ１０を吸着・固定して、落下を防止しながら作業することができる。
【００８４】
図４は、本発明の実施の形態２におけるドライバーの先端側の拡大図である。図４では、内部管路７が設けられており、内部管路７には、柔軟部材が充填されている。供給部６１から内部管路７に柔軟部材が供給されるからである。内部管路７に柔軟部材が充填されていることで、内部管路７は、凹部４２表面に柔軟部材を随時供給することができる。内部管路７の出口７１が凹部４２の表面に柔軟部材を吐出させる。この吐出によって、凹部４２表面に柔軟部材５が装着される状態となる。
【００８５】
図４では、凹部４２の表面に柔軟部材５が装着された状態を示している。図４は、図１とは異なり、内部管路７を通じて供給された柔軟部材５が装着された状態である。
【００８６】
図４に示される凹部４２表面の柔軟部材５が劣化すれば、内部管路７から新しい柔軟部材が供給されて、凹部４２には、新しい柔軟部材５が次々と装着される。  
【００８７】
ここで、図３に示されるように、把持部３は、供給スイッチ６２を更に有することも好適である。供給スイッチ６２は、供給部６１および内部管路７に充填されている柔軟部材を押し出して凹部４２の表面に吐出させる。供給スイッチ６２は、押出し圧力を供給部６１および内部管路７に付与する。この押し出し圧力によって、柔軟部材が押し出されて出口７１から凹部４２の表面に吐出される。
【００８８】
この吐出によって、凹部４２の表面に柔軟部材５が装着される状態となる。
【００８９】
（柔軟部材による吸着）
図５は、本発明の実施の形態２におけるねじを取り付けたドライバーの正面図である。図２の場合と同じく、実施の形態２で説明したドライバー１の先端部４に、ねじ１０を取り付けた状態を示している。例えば、ねじ１０をドライバー１を用いて取り付ける前の状態である（あるいは、ねじ１０を取り外した後の状態である）。
【００９０】
先端部４の凹部４２には、内部管路７を通じて吐出された柔軟部材５が装着状態となっている。先端部４の凸部４１は、ねじ１０の溝１２に嵌合する。このとき、凹部４２に装着されている柔軟部材５は、ねじ１０の頭頂部１１の表面に接触する。柔軟部材５は、変形および吸着能力を有し、ねじ１０の頭頂部１１の表面との接触（圧力が加わって柔軟部材５は、変形しうる）によって、頭頂部１１の表面を吸着する。
【００９１】
柔軟部材５は、頭頂部１１の表面を吸着することで、ねじ１０を手で支えることができなくても、ねじ１０が先端部４から落下することを防止できる。加えて、柔軟部材５は、ねじ１０の頭頂部１１の表面に接触し、ねじ１０の溝１２に入り込まない。柔軟部材５が、凹部４２に装着されているからである。
【００９２】
このような構造であることで、ねじ１０の取り付けや取り外しの際に、狭小空間などの理由でねじ１０を作業者の手で把持できない場合でも、ねじ１０の落下を防止できる。
【００９３】
加えて、実施の形態２のドライバー１では、供給部６１や内部管路７を通じて、次々と柔軟部材を凹部４２に供給できる。供給されて、凹部４２に柔軟部材５が装着された状態となる。この状態となることで、変形能力や吸着能力の新鮮な状態の柔軟部材５が、凹部４２に装着される。この新鮮な状態の柔軟部材５が、ねじ１０を確実に吸着できる。
【００９４】
上述したように、供給スイッチ６２を作業者が操作することで、供給部６１に収容されている柔軟部材が、内部管路７を通じて凹部４２に吐出される。吐出されると、凹部４２に柔軟部材５が装着された状態となる。作業者は、ねじ１０の吸着状態などを確認しながら、必要に応じて供給スイッチ６２を操作すればよい。
【００９５】
また、内部管路７の内径を調整することで、凹部４２の表面に装着状態となる柔軟部材５の大きさを変化させることができる。ねじ１０の大きさや頭頂部１１の大きさなどの違いによって、装着される柔軟部材５の大きさを、適宜変えることができる。もちろん、供給スイッチ６２から吐出させる柔軟部材の量によって調整することも可能である。
【００９６】
このように、実施の形態２のドライバー１は、凹部４２に装着される柔軟部材５の入れ替えや大きさの変更などを行いながら、ねじ１０の落下を最適に防止できる。ねじ１０の落下が防止出来れば、ねじ１０の取付けや取り外しの際に、狭小空間であっても、作業者は安心して作業することができる。メンテナンス作業などにおいて、ねじの紛失などの問題を未然防止できるので、作業精度を上げることもできる。
【００９７】
なお、供給部６１は、収容する柔軟部材を交換、補給可能であることも好適である。交換、補給可能であることで、新しい柔軟部材の利用が更新可能である。
【００９８】
以上のように、実施の形態２における落下防止機能を有するドライバー１は、柔軟部材５を更新可能であり、ねじ１０の吸着能力を高めつつ維持することができる。結果として、ねじ１０の落下防止能力を高めることができる。
【００９９】
なお、実施の形態１〜２で説明された落下防止機能を有するドライバーは、本発明の趣旨を説明する一例であり、本発明の趣旨を逸脱しない範囲での変形や改造を含む。
【符号の説明】
【０１００】
１    ドライバー
２    本体部
３    把持部
４    先端部
４１    凸部
４２    凹部
５    柔軟部材
７    内部管路
６１    供給部
６２    供給スイッチ
【図１】
2020062713.tif 000003
【図２】
2020062713.tif 000004
【図３】
2020062713.tif 000005
【図４】
2020062713.tif 000006
【図５】
2020062713.tif 000007